(57)【要約】【課題】患者への接近ならびに患者用テーブルの水平移動のために使用可能な範囲を強くは制限されないＸ線コンピュータ断層撮影装置を提供する。【解決手段】検査空間を1つの平面において少なくとも部分的に包囲する静止配置のＸ線検出器２と、静止配置のＸ線発生装置とを備え、Ｘ線発生装置が、検査空間の周囲に少なくとも１８０°の角度にわたってリング状に延在するＸ線源３と、１つ又は複数の光走査ユニット４とを有し、１つ又は複数の光走査ユニット４によるＸ線源３の走査によって、Ｘ線源３に沿って移動するＸ線焦点が形成可能であり、Ｘ線焦点からＸ線束６が検査空間を貫通してＸ線検出器２における瞬間に対向する検出素子に向けられており、１つ又は複数の光走査ユニット４は、各光走査ユニット４によりそれぞれ３６０°よりも小さい角度範囲だけがＸ線源３の中心のリング軸線１２と交差することなしに走査されるように、リング状のＸ線源３の中心のリング軸線１２の外側に配置されている。【選択図】図１
2007216018.tif 000002
【特許請求の範囲】
【請求項１】
検査空間を1つの平面において少なくとも部分的に包囲する静止配置のＸ線検出器（２）と、静止配置のＸ線発生装置（３，４）とを備え、Ｘ線発生装置（３，４）が、検査空間の周囲に少なくとも１８０°の角度にわたってリング状に延在するＸ線源（３）と、１つ又は複数の光走査ユニット（４）とを有し、１つ又は複数の光走査ユニット（４）によるＸ線源（３）の走査によって、Ｘ線源（３）に沿って移動するＸ線焦点が形成可能であり、Ｘ線焦点からＸ線束（６）が検査空間を貫通して静止配置のＸ線検出器（２）における瞬間に対向する検出素子に向けられているＸ線コンピュータ断層撮影装置において、
１つ又は複数の光走査ユニット（４）は、各光走査ユニット（４）によりそれぞれ３６０°よりも小さい角度範囲だけがＸ線源（３）の中心のリング軸線（１２）と交差することなしに走査されるように、リング状のＸ線源（３）の中心のリング軸線（１２）の外側に配置されて構成されていることを特徴とするＸ線コンピュータ断層撮影装置。
【請求項２】
Ｘ線源（３）が、電子源とこれに対向するＸ線ターゲットとからなる装置を含み、１つ又は複数の光走査ユニット（４）による電子源の走査によって、Ｘ線ターゲットに沿って移動するＸ線焦点がＸ線ターゲット上に形成可能であることを特徴とする請求項１記載のＸ線コンピュータ断層撮影装置。
【請求項３】
１つ又は複数の光走査ユニット（４）が、Ｘ線源（３）をそれぞれ２７０°以下の角度にわたって走査するように配置されて構成されていることを特徴とする請求項１又は２記載のＸ線コンピュータ断層撮影装置。
【請求項４】
１つ又は複数の光走査ユニット（４）が、リング軸線（１２）に対して少なくとも、Ｘ線源（３）を包囲するハウジングとリング軸線（１２）との間隔に相当する間隔を有することを特徴とする請求項１乃至３の１つに記載のＸ線コンピュータ断層撮影装置。
【請求項５】
Ｘ線検出器（２）およびＸ線源（３）が検査空間の周囲全体に延在し、少なくとも２つの光走査ユニット（４）が設けられ、両光走査ユニット（４）の走査範囲の組み合わせによってＸ線源（３）に沿って３６０°の角度にわたって移動するＸ線焦点が形成可能であることを特徴とする請求項１乃至４の１つに記載のＸ線コンピュータ断層撮影装置。
【請求項６】
Ｘ線発生装置（３，４）およびＸ線検出器（２）が一緒にＸ線コンピュータ断層撮影装置の検査軸線に対してある角度だけ傾斜可能に構成されていることを特徴とする請求項１乃至５の１つに記載のＸ線コンピュータ断層撮影装置。
【請求項７】
光走査ユニット（４）がパルス式レーザを有し、光走査ユニット（４）のための制御ユニットが設けられ、制御ユニットは、光走査ユニット（４）のレーザパルスが交互にＸ線源（３）に入射するように、レーザパルスの交互放出のために光走査ユニット（４）を制御することを特徴とする請求項１乃至６の１つに記載のＸ線コンピュータ断層撮影装置。
【発明の詳細な説明】
【技術分野】
【０００１】
本発明は、検査空間を1つの平面において少なくとも部分的に包囲する静止配置のＸ線検出器と、静止配置のＸ線発生装置とを備え、Ｘ線発生装置が、検査空間の周囲に少なくとも１８０°の角度にわたってリング状に延在するＸ線源と、１つ又は複数の光走査ユニットとを有し、１つ又は複数の光走査ユニットによるＸ線源の走査によって、Ｘ線源に沿って移動するＸ線焦点が形成可能であり、Ｘ線焦点からＸ線束が検査空間を貫通して静止配置のＸ線検出器における瞬間に対向する検出素子に向けられているＸ線コンピュータ断層撮影装置に関する。
【背景技術】
【０００２】
コンピュータ断層撮影装置は、例えば医用画像化において患者体内の画像を得るために使用される。コンピュータ断層撮影装置は、とりわけＸ線発生装置、Ｘ線検出器および患者用寝台テーブルを含み、患者用寝台テーブルにより、患者は撮影中にシステム軸線、いわゆるＺ軸に沿って検査空間を通して移動させられる。Ｘ線発生装置は、検査空間の周囲を回転するＸ線焦点から出射するＸ線束を発生する。検査空間の１つの断層平面（Ｘ−Ｙ平面）内においてシステム軸線に対して垂直方向にファン状に広がるＸ線束が、検査時に検査対象の１つの断層もしくは患者の１つの身体断層を透過し、Ｘ線焦点に対向するＸ線検出器の検出素子に入射する。Ｘ線束が身体断層を透過する角度は、そして場合によっては患者用寝台テーブルの位置も、コンピュータ断層撮影装置による画像撮影中に一般に連続的に変化する。
【０００３】
回転するＸ線焦点は、第３世代のコンピュータ断層撮影装置の場合、Ｘ線管によって発生され、Ｘ線管はＸ線検出器と同様に検査空間の周囲を回転可能な回転枠（ガントリ）に固定されている。回転枠の回転速度は、近年において、画像記録時における高速の走査速度を達成するためにますます高められた。しかしながら、第３世代のコンピュータ断層撮影装置においては、医療上の安定性および安全性の理由から、移動すべき質量およびそれから生じる大きい加速力により回転枠の回転速度の明白な上昇をもはや許さない限界に到達した。
【０００４】
第４世代のコンピュータ断層撮影装置の場合には、Ｘ線検出器が静止配置のリングとして検査空間の周囲に配置されているので、Ｘ線管だけは回転枠と共に移動されなければならない。しかしながら、この場合にも、回転枠の回転速度の更なる上昇時に、回転速度を制限する著しい力がＸ線管に作用する。
【０００５】
この問題を避けるために、Ｘ線発生装置もＸ線検出器も静止配置されている第５世代のコンピュータ断層撮影装置が公知となった。このコンピュータ断層撮影装置の場合には、コンピュータ断層撮影装置の検査空間を１つの平面において少なくとも部分的に包囲するＸ線ターゲットが使用される。このターゲット上には検査空間の周囲を移動するＸ線焦点が形成され、Ｘ線焦点からＸ線が出射する。したがって、このコンピュータ断層撮影装置は、機械的に移動されるＸ線検出器を全く備えていなくても十分である。この場合にＸ線ターゲットは、検査空間の周囲全体に延在するか、または検査空間の周囲に少なくとも１８０°よりも大きく延在する。同じように、Ｘ線検出器は検査空間全体を包囲するか、または少なくとも１８０°の角度にわたって包囲する。このＸ線検出器は、移動するＸ線焦点から出射するＸ線束が、検査空間を貫通して静止配置のＸ線検出器におけるその都度瞬間に対向する検出素子に入射するように配置されている。
【０００６】
Ｘ線ターゲットおよびＸ線検出器がそれぞれ約２１０°の角度にわたって検査空間を包囲する第５世代のコンピュータ断層撮影装置は公知である（例えば、特許文献１参照）。Ｘ線焦点の形成のために、電子銃により電子線が発生され、適切な偏向によってＸ線ターゲット上を案内される。しかしながら、ＥＢＣＴ（＝Ｅｌｅｃｔｒｏｎ  Ｂｅａｍ  Ｃｏｍｐｕｔｅｒ  Ｔｏｍｏｇｒａｐｈｙ、電子線コンピュータ断層撮影）なる略称のもとに知られたこの技術はこれまで、数多くの欠点により、臨床使用において広く普及しなかった。例えば、この種の装置においては検査平面の傾斜が可能でない。患者の水平な位置決めのために使用可能な範囲が、患者への接近と同様に、操作者にとって著しく制限されている。この種のＸ線コンピュータ断層撮影装置は非常に大きな検査空間を必要とする。電子線の長い行程によって焦点の不安定性ならびに大きな焦点直径がひき起こされ、それによって空間分解能が低下する。複雑な電子線光学系および長い設定時間が信頼性および患者処理能力を低下させる。
【０００７】
長い電子線に関連する問題を回避するために、多数の熱電子エミッタがリング上に分散して配置されたリング状のＸ線管が使用される第５世代のＸ線コンピュータ断層撮影装置は公知である（例えば、特許文献２または特許文献３参照）。しかしながら、この種の熱的なエミッタは、走査中に必要な温度を維持するために大きな電力を必要とする。冷陰極放出源が電子源として使用される同様な装置も公知である（例えば、特許文献４参照）。この冷陰極の電子源の個々の領域は局所的な電場を介して局所的に電子を放出できるようにするために、形成された電極構造を介して選択的に反応させられる。電場放出電流は、このＸ線管においては電子源に印加された電圧によって制御され、熱電子エミッタにおけるように温度によって制御されるのではない。もちろん、冷陰極の電子源は、まだ、多くのコンピュータ断層撮影の用途にとって必要な電力／電流密度を容認できる寿命において発生させることができない。しかも、Ｘ線管内に配置された何千ものエミッタの電気的制御は非常に高コストである。
【０００８】
検査空間全体をリング状に包囲するＸ線ターゲット上に検査空間の周囲を移動するＸ線焦点が発生される第５世代のコンピュータ断層撮影装置の他の構成も公知である（例えば、特許文献５参照）。この場合にも同様にＸ線ターゲットに対して同軸の電子源リングが設けられ、電子源リングは、レーザ走査ユニットにより電子源リングの表面上を案内される電子放出用レーザ光線を介して制御される。レーザ走査ユニットは、電子源リングを３６０°の角度にわたって走査できるようにするために、電子源リングの中央のリング軸線上に配置されている。しかしながら、この技術も、ＥＢＣＴ技術に関連する問題の全てを回避してはいない。この種の装置において、走査線経路は、検査室内の操作者または他の対象による望ましくない遮断を回避するために保護されなければならない。これは患者の水平な移動ならびに操作者にとっての患者への接近のために使用可能な範囲を明らかに制限する。
【特許文献１】米国特許第４３５２０２１号明細書
【特許文献２】米国特許第６１８１７６５号明細書
【特許文献３】米国特許第６７３１７１６号明細書
【特許文献４】米国特許第２００２／００９４０６４号明細書
【特許文献５】米国特許第４６０６０６１号明細書
【発明の開示】
【発明が解決しようとする課題】
【０００９】
本発明の課題は、従来技術から出発して、患者への接近ならびに患者用テーブルの水平移動のために使用可能な範囲をあまり強く制限されずに、ＥＢＣＴ装置の既述の欠点が回避される第５世代のＸ線コンピュータ断層撮影装置を提供することにある。
【課題を解決するための手段】
【００１０】
この課題は、検査空間を1つの平面において少なくとも部分的に包囲する静止配置のＸ線検出器と、静止配置のＸ線発生装置とを備え、Ｘ線発生装置が、検査空間の周囲に少なくとも１８０°の角度にわたってリング状に延在するＸ線源と、１つ又は複数の光走査ユニットとを有し、１つ又は複数の光走査ユニットによるＸ線源の走査によって、Ｘ線源に沿って移動するＸ線焦点が形成可能であり、Ｘ線焦点からＸ線束が検査空間を貫通して静止配置のＸ線検出器における瞬間に対向する検出素子に向けられているＸ線コンピュータ断層撮影装置において、１つ又は複数の光走査ユニットは、各光走査ユニットによりそれぞれ３６０°よりも小さい角度範囲だけがＸ線源の中心のリング軸線と交差することなしに走査されるように、リング状のＸ線源の中心のリング軸線の外側に配置されて構成されていることによって解決される。
このコンピュータ断層撮影装置の有利な実施態様は従属請求項に記載されている、あるいは以下の説明並びに実施例から引き出すことができる。
【００１１】
本発明によるコンピュータ断層撮影装置は、検査空間を1つの平面において少なくとも部分的に包囲する静止配置のＸ線検出器と、静止配置のＸ線発生装置とを有する。Ｘ線発生装置は、検査空間の周囲に少なくとも１８０°の角度にわたってリング状に延在するＸ線源と、１つ又は複数の光走査ユニットとを有する。１つ又は複数の光走査ユニットによるＸ線源の走査によって、Ｘ線源に沿って移動するＸ線焦点が形成可能であり、Ｘ線焦点からＸ線束が検査空間を貫通して静止配置のＸ線検出器におけるその都度瞬間に対向する検出素子に向けられている。このコンピュータ断層撮影装置において、１つ又は複数の光走査ユニットは、各光走査ユニットによりそれぞれ３６０°よりも小さい角度範囲だけがＸ線源の中心のリング軸線と交差することなしに走査されるように、Ｘ線源の中心のリング軸線の外側に配置されて構成されている。１つ又は複数の光走査ユニットは、このために、各光走査ユニットがＸ線源をそれぞれ２７０°以下の角度だけ、特に２１０°以下の角度だけ走査するように配置されて構成されていると好ましい。更に、１つ又は複数の光走査ユニットが、リング軸線に対して少なくとも、Ｘ線源を包囲するハウジングとリング軸線との間隔に相当する間隔を有すると好ましい。
【００１２】
コンピュータ断層撮影装置の一実施態様において、Ｘ線源は、電子源とこれに僅かな間隔で対向するＸ線ターゲットとからなる装置を含み、この装置は、検査空間の周囲に少なくとも１８０°の角度にわたってリング状に延在する。光走査ユニットの光線による電子源の走査によって、Ｘ線ターゲットに沿って移動するＸ線焦点がＸ線ターゲット上に形成する。
【００１３】
電子源とＸ線ターゲットとからなる装置は、例えば、先に挙げた特許文献５から公知である構成を有するとよい。電子源は、十分な強度の光線が入射すると電子を放出する材料からなる。電子は、電場によってＸ線ターゲットの方向へ加速され、Ｘ線ターゲットに入射すると公知のようにしてＸ線を発生させる。この場合に電子は、例えば可視光または紫外光による光電プロセスによって、または赤外光による熱プロセスによって電子源から放出される。有利な実施態様においては、光によって活性化される冷電子エミッタが使用される。
【００１４】
Ｘ線ターゲットの方向への電子の加速は、Ｘ線ターゲットと電子源との間に高電圧を印加することによって達成される。なお、電子源は陰極であり、Ｘ線ターゲットは陽極である。電子源およびＸ線ターゲットは、本発明によるコンピュータ断層撮影装置において、それぞれ一部材で構成することができ、あるいは多数の部分をリング状に配置して構成することができる。更に、種々の角度で入射する光放射を電子源の表面に対して垂直に向けるために、例えば湾曲ミラーの如き光偏向装置が電子源の範囲に配置されるとよい。
【００１５】
コンピュータ断層撮影装置の代替としての実施態様において、Ｘ線は入射する光線によって直接的に発生される。これは、Ｘ線源のＸ線ターゲットの表面への入射時にＸ線ターゲット表面に熱プラズマを発生させて、Ｘ線ターゲットからＸ線（プラズマＸ線）を出射させる高い強度またはパルス出力のレーザパルスの使用を必要とする。レーザパルスは、医療診断のために必要なエネルギー範囲（５０．．．１４０ｋｅＶ）にあるＸ線の発生を可能にするために、１０14Ｗ／ｃｍ2よりも大きいエネルギー密度を有するべきである。
【００１６】
先に挙げた特許文献５のコンピュータ断層撮影装置と違って、本発明によるコンピュータ断層撮影装置においては、１つ又は複数の光走査ユニットがＸ線源のリング軸線上に配置されていることもなく、Ｘ線焦点の一回転に相当する３６０°の角度を走査することもない。むしろ、光走査ユニットは、各光走査ユニットによりそれぞれ３６０°の全角度範囲の部分区間だけがリング軸線と交差することなしに走査されるように、このリング軸線の外側に配置されて構成されている。この配置は、光走査ユニットまたはその走査放射もしくはこれを包囲するハウジングに接触することなく、患者の横たわる患者用寝台テーブルの移動部分を任意に水平方向に移動できることを可能にする。したがって、水平移動のために使用可能な範囲は、従来技術の公知の装置に比べて明らかに拡張されている。更に、それによって、操作者にとって患者用寝台テーブル上に横たわっている患者への接近も改善される。
【００１７】
１つの光走査ユニットだけが使用される場合、この光走査ユニットは部分区間を走査し、この部分区間は、コンピュータ断層撮影画像を作成するために１８０°以上の角度範囲に相当しなければならないが、しかし、患者用寝台テーブルの水平方向の移動可能性を阻害しないようにするために３６０°よりも明らかに小さい。リング状のＸ線源は、この場合にも３６０°の角度にわたるのではなく、走査される角度範囲だけにわたって延在すると好ましい。
【００１８】
複数の光走査ユニットが使用される場合、全体として走査される部分区間が１８０°以上の連続する角度範囲を生じ、それにより１８０°以上の角度範囲にわたって移動するＸ線焦点をＸ線ターゲット上に形成することが可能であるかぎり、個々の各光走査ユニットによって１８０°よりも小さい部分区間が走査されてもよい。
【００１９】
有利な実施態様では、３６０°の角度にわたって回転するＸ線焦点を形成する２つの光走査ユニットが設けられる。両光走査ユニットのそれぞれはＸ線ターゲットもしくは電子源の異なった部分区間をそれぞれ１８０°の角度範囲にわたって走査する。この場合には、もちろんＸ線源もＸ線検出器も完全リングとして構成されている。
【００２０】
光源としてはレーザを使用すると好ましい。１つ又は複数の光走査ユニットは、公知のように、それぞれ、好ましくはパルス式レーザならびにレーザ光線のための適切な偏向装置から構成される。この偏向装置は、例えば光学式投影システムから知られているｘ−ｙガルバノメータスキャナであってよい。偏向速度（掃引）は数ｋＨｚの範囲にある。複数のレーザ走査ユニットを備えた本発明によるコンピュータ断層撮影装置の実施態様においては、これらのレーザ走査ユニットが適当な制御装置を介して交互に駆動されるので、レーザ走査ユニットのレーザパルスが交互に電子源またはＸ線ターゲット上に入射する。このようにしてＸ線ターゲットおよびレーザの熱的負担が軽減される。
【発明を実施するための最良の形態】
【００２１】
以下において、図面を参照しながら実施例に基づいて本発明によるＸ線コンピュータ断層撮影装置を、特許請求の範囲によって設定される保護範囲の制限なしにもう一度詳しく説明する。
図１はコンピュータ断層撮影装置の構成例を側面図で示し、
図２はレーザ走査ユニットの走査線経路の例を示し、
図３は撮影平面が傾斜することのできるコンピュータ断層撮影装置の構成例を示し、
図４はコンピュータ断層撮影装置の正面図の例を示し、
図５はコンピュータ断層撮影装置の背面図の例を示し、
図６は２つのレーザ走査ユニットを有するコンピュータ断層撮影装置の構成例を示し、
図７は両レーザ走査ユニットの走査線経路の例を示し、
図８は図６のコンピュータ断層撮影装置の背面図の例を示す。
【００２２】
図１は本発明によるコンピュータ断層撮影装置の構成例を示す。コンピュータ断層撮影装置は画像撮影装置１ならびに移動可能な患者用寝台テーブル８を有する。患者用寝台テーブル８上には本例では患者９が横たわっている。画像撮影装置１はこの例では２つの部分リングからなり、そのうちの第１の部分リングがＸ線検出器２を含み、第２の部分リングがＸ線源３、この例では電子源とＸ線ターゲットとからなる装置を含む。レーザ走査装置４により、部分リング形状の電子源に沿った走査によって電子が発生され、Ｘ線ターゲットへ向けて加速されるので、そこで部分リング形状のＸ線ターゲット上に移動するＸ線焦点が形成される。レーザ走査ユニット４の走査範囲の境界が図１にレーザ光線５によって示されている。Ｘ線検出器２とＸ線源３との両部分リングは、移動するＸ線焦点から出射するＸ線束６が検査空間を通ってその都度瞬間に対向するＸ線検出器２の検出素子に入射するように、互いにずらされて配置されている。
【００２３】
レーザ走査ユニット４は、この例では、Ｘ線源３の部分リングのリング軸線１２に対して、この部分リングとリング軸線１２との距離よりも大きい距離を有するので、患者９の横たわる患者用寝台テーブル８は妨害なしに水平方向に移動可能である。これらの距離はこのために等しくてもよい。更に、レーザ走査ユニット４は、約２１０°の角度しか走査しないので、患者９の横たわる患者用寝台テーブル８の移動は走査線によって制限されない。これは、Ｘ線検出器２を有する部分リングと、その部分リングに対してずらされ電子源とＸ線ターゲットとからなる装置を有する部分リングとを異なった視点から示す図２に基づいて、もう一度明白に読み取れる。走査ユニット４の走査範囲はこの図ではレーザ光線５によって示されている。この図から明らかのように、部分リングによって予め与えられた検査空間の最大直径、この例では８０ｃｍは、部分リングの外側においても走査によって制限されない。この例において選択された約２１０°の角度にわたる走査によって、Ｘ線ターゲット上にこの角度範囲にわたって移動するＸ線焦点が形成され、このＸ線焦点からＸ線束６が出射する。Ｘ線束の回転範囲２１０°はコンピュータ断層撮影にとって十分である。
【００２４】
図１の例では、付加的に２つの循環冷却管７が示されている。冷却管７によってＸ線管２ならびにＸ線検出器３が動作中に冷却される。冷却媒体として、例えば空気または水が適している。
【００２５】
図３は、患者が横たわっている患者用寝台テーブル８に対して、画像撮影装置１を傾斜軸１０の周りに傾斜させることができるこの種のＸ線コンピュータ断層撮影装置を示す。この傾斜は図示の両方向矢印によって示唆されている。画像撮影装置１の傾斜によって、Ｚ軸（体軸）に対して垂直でない患者断層画像を記録することができる。傾斜は、Ｘ線検出器２ならびに電子源とＸ線ターゲットとからなる装置から構成される両部分リングと、レーザ走査ユニット４との間の機械的結合を必要とする。代替として、もちろん、患者用寝台テーブル８を相応に傾斜させることもできる。傾斜は例えば＋／−１５°の傾斜角だけ行なわれるとよい。
【００２６】
図４はＸ線コンピュータ断層撮影装置の正面図の例を示す。図においては、患者９の横たわる患者用寝台テーブル８ならびにＸ線検出器２の部分リングを認識することができる。傾斜軸１０が同様に示されている。
【００２７】
図５は、電子源とＸ線ターゲットとからなる装置を有する部分リング、レーザ走査ユニット４ならびにＸ線検出器２の部分リングの覆い隠されていない部分を認識することができるこの種のコンピュータ断層撮影装置の背面図を示す。
【００２８】
図６は、本発明によるＸ線コンピュータ断層撮影装置の他の模範的な構成を示す。この構成においては、Ｘ線検出器２も、電子源とＸ線ターゲット（Ｘ線源３）とからなる装置も、それぞれ完全リングを形成し、両リングは互いに平行に配置されている。電子源の走査は２つのレーザ走査ユニット４を介して行なわれる。両レーザ走査ユニット４は、それぞれ１８０°の角度を走査し、患者用寝台テーブル８のための水平の移動空間を制限しないように、リング軸線１２の外側に十分遠くに配置されている。図７は、この場合において、レーザＬ1，Ｌ2を有する両レーザ走査ユニット４の走査線経路を模範的に再びレーザ光線５に基づいて示す。したがって、この装置により、３６０°の角度にわたって回転するＸ線焦点が形成され、Ｘ線焦点から相応に回転するＸ線束６が出射する。Ｘ線発生装置３，４もＸ線検出器２も従来と同じく静止配置されている。
【００２９】
レーザ走査ユニット４のパルス化された両レーザＬ1，Ｌ2は、両レーザならびにＸ線ターゲットの熱的負担を軽減するために、画像撮影中に交互に作動させられると好ましい。図には両レーザＬ1，Ｌ2の相応のパルス列が概略的に示されている。
【００３０】
最後に、図８は、図６にしたがって構成されたコンピュータ断層撮影装置におけるハウジング１１の形状の例を示す。
【００３１】
更に別の構成において、発生されたＸ線束６の１つ又は複数のＸ線パラメータに影響を及ぼすための１つ又は複数の構成要素が、Ｘ線ターゲットとＸ線検出器２の検出素子との間において、リング軸線１２を中心にＸ線焦点の移動に同期して回転可能な支持枠に配置されるとよい。特にコリメータの機能を有するこの構成要素は、断層平面（Ｘ−Ｙ平面）および／またはＺ方向におけるＸ線束６の開き角度を制限すると共に、Ｘ線束６の強度分布またはそのスペクトル分布に影響を及ぼすフィルタとしても構成されている。更に、これらの構成要素はＸ線検出器２のための散乱Ｘ線除去用グリッドも構成することができる。
【００３２】
更に電子源の寿命を高めるために、電子源とＸ線ターゲットとの間に電子源範囲内の正イオン成分を低減する装置が配置されているとよい。この装置は、直流電圧または交流電圧の印加時に正イオンを捕らえる電極システムであってよい。この電極システム、例えばＩＣＥ電極システムまたはＲＩＣＥ電極システムの配置は、一方では、電子源範囲内の正イオン成分が低減されるように行なわれる。それにより、この種のイオンが電子源の表面に射突するのが防止されるあるいは少なくとも著しく低減される。他方では、電子線の電子の反発力中和、従ってこの電子線の良好な集束可能性に貢献できるようにするために、電子線の集束範囲内、すなわちＸ線ターゲット直前の範囲内の正イオン成分が低減される。したがって、電極システムは、Ｘ線ターゲットよりも電子源の近くに配置されていると好ましい。
【図面の簡単な説明】
【００３３】
【図１】本発明によるコンピュータ断層撮影装置の実施例を示す側面図
【図２】本発明によるコンピュータ断層撮影装置におけるレーザ走査ユニットの走査線経路の例を示す図
【図３】本発明によるコンピュータ断層撮影装置の他の実施例を示す側面図
【図４】本発明によるコンピュータ断層撮影装置の正面図の例を示す図
【図５】コンピュータ断層撮影装置の背面図の例を示す図
【図６】本発明によるコンピュータ断層撮影装置の更に別の実施例の部分断面を含む側面図
【図７】２つのレーザ走査ユニットの走査線経路の例を示す図
【図８】図６のコンピュータ断層撮影装置の背面図の例を示す図
【符号の説明】
【００３４】
１        画像撮影装置
２        Ｘ線検出器
３        Ｘ線源
４        レーザ走査ユニット
５        レーザ光線
６        Ｘ線束
７        冷却管
８        患者用寝台テーブル
９        患者
１０        傾斜軸
１１        ハウジング
１２        リング軸線
【図１】
2007216018.tif 000003
【図２】
2007216018.tif 000004
【図３】
2007216018.tif 000005
【図４】
2007216018.tif 000006
【図５】
2007216018.tif 000007
【図６】
2007216018.tif 000008
【図７】
2007216018.tif 000009
【図８】
2007216018.tif 000010